(57)【特許請求の範囲】
【請求項１】
断面円筒形状の柱部と、
略コの字状に曲折され互いに９０度位相を異ならせて配置される４つのコマを有するくさび嵌合部と、
前記くさび嵌合部のコマがそれぞれ溶接され、前記柱部の外周面に挿通可能な内径を有して前記柱部に溶接される断面円筒形状の土台部と、を備え、
前記柱部の軸方向に延びる第１の溶接線と、前記柱部の軸方向と直交する方向に延びる第２の溶接線とにより前記土台部と前記柱部とが溶接固定され、
前記柱部が前記土台部より小径であることを特徴とするくさび緊結式足場用支柱。
【請求項２】
断面円筒形状の柱部と、
略コの字状に曲折され互いに９０度位相を異ならせて配置される４つのコマを有するくさび嵌合部と、
前記くさび嵌合部のコマがそれぞれ溶接され、前記柱部の外周面に挿通可能な内径を有して前記柱部に溶接される断面円筒形状の土台部と、を備え、
凹部と凸部とが交互に表れる凹凸形状により前記土台部と前記柱部とが溶接固定され、
前記柱部が前記土台部より小径であることを特徴とするくさび緊結式足場用支柱。
【請求項３】
前記土台部の外径は、くさび緊結式足場に使用される規格化された支柱と同一であることを特徴とする請求項１乃至２の何れか一項に記載のくさび緊結式足場用支柱。
【請求項４】
前記柱部の内径は、枠組足場で使用される支柱と同一である請求項１乃至３の何れか一項に記載のくさび緊結式足場用支柱。
【請求項５】
請求項１乃至３の何れか一項に記載のくさび緊結式足場用支柱と、
前記くさび緊結式足場用支柱に着脱可能に連結される連結部と、
を備えるくさび緊結式足場用支柱を用いた支柱構造。
【請求項６】
請求項４に記載のくさび緊結式足場用支柱と、
前記くさび緊結式足場用支柱に着脱可能に連結され、枠組足場で使用される連結部と、
を備えるくさび緊結式足場用支柱を用いた支柱構造。
【請求項７】
前記連結部がヤマトピンであることを特徴とする請求項６に記載のくさび緊結式足場用支柱を用いた支柱構造。
【発明の詳細な説明】
【技術分野】
【０００１】  本発明は、くさび緊結式足場に用いられる支柱および該支柱を用いた支柱構造に関する。
【背景技術】
【０００２】  建設足場に使用される足場として、従来、高層建築での使用を想定した枠組足場と、低層建築での使用を想定したくさび緊結式足場が知られている（特許文献１参照）。高層建築での使用を想定した枠組足場に対して、低層建築での使用を想定したくさび緊結式足場は、コマと称するくさび受け部にくさびを打ち込むだけで足場を完成させることができるという利便性から、現在では高層建築においてもくさび緊結式足場が用いられている。
【先行技術文献】
【特許文献】
【０００３】
【特許文献１】特開平６−２８０３８２号公報
【発明の概要】
【発明が解決しようとする課題】
【０００４】  高層建築で使用される枠組足場の組立てはレッカーが使われるのに対して、くさび緊結式足場の組立ては作業者が部材を運搬して行われる。このため作業者の負担を減らす必要があり足場部材の軽量化が求められる。ところが、くさび緊結式足場を構成する部材が規格されているため、軽量化のために部材の寸法を変えてしまうと、規格化された足場部材を使用することができないという問題がある。【０００５】  本発明は上記事情に鑑みてなされたもので、部材の規格化を考慮して軽量化可能なくさび緊結式足場用支柱およびそれを用いた支柱構造を提供することを目的とする。
【課題を解決するための手段】
【０００６】  本発明のくさび緊結式足場用支柱は、断面円筒形状の柱部と、略コの字状に曲折され互いに９０度位相を異ならせて配置される４つのコマを有するくさび嵌合部と、前記くさび嵌合部のコマがそれぞれ溶接され、前記柱部の外周面に挿通可能な内径を有して前記柱部に溶接される断面円筒形状の土台部と、を備え、前記柱部が前記土台部より小径であることを特徴とする。【０００７】  上記構成によれば、くさび緊結式足場に用いる支柱の形状において、柱部を土台部よりも小径にすることにより、支柱の軽量化を図ることができる。足場部材が打ち込まれるくさび嵌合部を有する土台部を規格化された支柱の径と同一に保持しておけば、規格化された足場部材を使用することが可能となる。また支柱柱部を小径化することにより、作業者が支柱柱部を掴むときに必要な握力を少なくすることができ、さらに手の小さい作業者に対する支柱の運搬を容易にすることができる。【０００８】  上記構成において、前記柱部の軸方向に延びる第１の溶接線と、前記柱部の軸方向と直交する方向に延びる第２の溶接線とにより前記土台部と前記柱部とが溶接固定される。【０００９】  上記構成によれば、土台部に加わる負荷に対して、柱部の軸方向と、柱部の軸方向と直交する方向から抗することができ、溶接強度を向上させることができる。【００１０】  上記構成において、凹部と凸部とが交互に表れる凹凸形状により前記土台部と前記柱部とが溶接固定される。【００１１】  上記構成によれば、くさび嵌合部のコマの配置に合わせて、柱部の軸方向と柱部の軸方向と直交する方向に延びる２つの溶接線を実現することができ、これにより溶接強度を向上させることができる。【００１２】  また、上記構成において、前記土台部の外径は、くさび緊結式足場に使用される規格化された支柱と同一であることを特徴とする。【００１３】  上記構成によれば、くさび嵌合部に叩き込まれる筋交、手摺又は踏板など、くさび緊結式足場を構成する規格化された部材の使用を妨げることなく、支柱の軽量化を図ることができる。【００１４】  また、上記構成において、前記柱部の内径は、枠組足場で使用される支柱と同一であることを特徴とする。【００１５】  上記構成によれば、柱部の内径を枠組足場で使用される支柱と同一にすることにより、枠組足場で使用している連結部材の使用が可能になる。【００１６】  本発明のくさび緊結式足場用支柱を用いた支柱構造は、上記くさび緊結式足場用支柱と、前記くさび緊結式足場用支柱に着脱可能に連結される連結部と、を備える。【００１７】  上記構成によれば、支柱に着脱可能に連結される連結部により支柱同士の連結が可能になる。【００１８】  本発明のくさび緊結式足場用支柱を用いた支柱構造は、上記くさび緊結式足場用支柱と、前記くさび緊結式足場用支柱に着脱可能に連結され、枠組足場で使用される連結部と、を備える。【００１９】  上記構成によれば、枠組足場に使用される連結部の使用が可能になり、支柱構造の強度を向上させることができる。【００２０】  上記構成において、前記連結部がヤマトピンであることが好ましい。
【発明の効果】
【００２１】  本発明に係るくさび緊結式足場用支柱によれば、くさび緊結式足場に用いる支柱の形状において、柱部を土台部よりも小径にすることにより、支柱の軽量化を図ることができる。足場部材が打ち込まれるくさび嵌合部を有する土台部を規格化された支柱の径と同一に保持しておけば、規格化された足場部材を使用することが可能となる。【００２２】  さらに、土台部の外径をくさび緊結式足場に使用される規格化された支柱と同一にすることにより、くさび嵌合部に叩き込まれる筋交、手摺又は踏板など、くさび緊結式足場を構成する規格化された部材の使用を妨げることなく、支柱の軽量化を図ることができる。
【図面の簡単な説明】
【００２３】
【図１】  本発明の実施の形態に係るくさび緊結式足場用支柱の構成を示す斜視図である。
【図２】  図１で示した支柱１００のＡ−Ａ線断面を示す断面図である。
【図３】  柱部の軸方向に２つのくさび嵌合部を備えた支柱を示す平面図である。
【図４】  本発明の実施の形態に係る支柱構造の構成を示す斜視図である。
【発明を実施するための最良の形態】
【００２４】以下、本発明の実施の形態を図面を参照して説明する。【００２５】  図１は、本発明の実施の形態に係るくさび緊結式足場用支柱（以下、支柱と記す）の構成を示す斜視図である。支柱１００は、断面円筒形状の柱部１０１と、略コの字状に曲折され互いに９０度位相を異ならせて配置される４つのコマを有するくさび嵌合部１０３と、くさび嵌合部１０３のコマがそれぞれ溶接され、柱部１０１の外周面に挿通可能な内径を有する断面円筒形状の土台部１０５と、を備える。支柱１０１には、後述する連結部を着脱可能に連結するためのほぞ穴１０７が設けられている。【００２６】  図２は、図１で示した支柱１００のＡ−Ａ線断面図を示している。土台部１０５は、柱部１０１に挿通された状態で柱部１０１に溶接固定される。土台部１０５の外径ａは、くさび緊結式足場に使用される規格化された支柱と同一の４８．６ｍｍである。柱部１０１の外径ｂは４２．７ｍｍであり、柱部１０１の内径ｃは枠組足場で使用される支柱と同じ３６．４ｍｍである。【００２７】  土台部１０５と柱部１０１との溶接強度を高めるために、土台部部１０５と柱部１０１との溶接線は、柱部１０１の軸方向に延びる第１の溶接線と、柱部１０１の軸方向と直交する方向に延びる第２の溶接線とにより構成される。第１の溶接線と第２の溶接線とを設けることにより、土台部に加わる負荷に対して、柱部の軸方向と、柱部の軸方向と直交する方向から抗することができ、溶接強度を向上させることができる。【００２８】  図示例では、くさび嵌合部１０３のコマの配置に合わせて凹部と凸部とが交互に表れる凹凸形状により前記第１の溶接線と前記第２の溶接線とにより構成される溶接線を実現している。土台部に加わる負荷に対して、柱部の軸方向と、柱部の軸方向と直交する方向から抗することができ、溶接強度を向上させることができる。【００２９】  図３は、柱部の軸方向に２つのくさび嵌合部を備えた支柱３００の平面図を示している。支柱３００は、断面円筒形状の柱部３０１と、略コの字状に曲折され互いに９０度位相を異ならせて配置される４つのコマを有するくさび嵌合部３０３ａ、３０３ｂと、くさび嵌合部３０３のコマがそれぞれ溶接され、柱部３０１の外周面に挿通可能な内径を有する断面円筒形状の土台部３０５ａ、３０５ｂと、を備える。支柱３００の上部と下部にはほぞ穴３０７が設けられている。【００３０】  くさび嵌合部３０３ａを構成する各コマと、くさび嵌合部３０３ｂを構成する各コマは、それぞれ柱部３０１の軸方向の同一直線上に配置されている。柱部３０１の軸方向に配置されたくさび嵌合部３０３ａ、３０３ｂのピッチは、上記規格化された支柱と同じ４７５ｍｍである。４７５ｍｍのピッチでくさび嵌合部をさらに備えることができる。【００３１】  以上、説明した実施の形態によれば、くさび緊結式足場に用いる支柱の形状において、柱部を土台部よりも小径にすることにより、くさび嵌合部に叩き込まれる筋交、手摺又は踏板など、くさび緊結式足場を構成する規格化された部材の使用を妨げることなく、支柱の軽量化を図ることができる。また支柱を小径化することにより、作業者が支柱を掴むときに必要な握力を少なくすることができ、さらに手の小さい作���者に対する支柱の運搬を容易にすることができる。【００３２】  図４は図１乃至図３に示した支柱を用いた支柱構造の構成を示す斜視図である。くさび緊結式足場に用いられる支柱には、ほぞと称する接続用の突起が支柱上部に溶接されている。図４に示した支柱構造は、上記ほぞに代えて着脱可能な連結部材を支柱に挿通して構成される支柱構造である。【００３３】  図４に示されるように、支柱構造４００は、断面円筒形状の柱部４０１と、略コの字状に曲折され互いに９０度位相を異ならせて配置される４つのコマを有するくさび嵌合部４０３と、くさび嵌合部４０３のコマがそれぞれ溶接され、柱部４０１の外周面に挿通可能な内径を有する断面円筒形状の土台部４０５と、を備える支柱４００ａと、支柱４００ａに着脱可能に連結される連結部４００ｂと、を備える。また、柱部４０１の上部と下部はほぞ穴４０７が設けられている。【００３４】  連結部４００ｂは、柱部４０１の内径とほぼ同一の外径を有する管部４５１と、連結ピン４５３が挿通されるほぞ穴４５５を備え、管部４５１の外径と同一の外径を有するほぞ部４５７と、連結ピン４５３が挿通されるほぞ穴４５９を備え、管部４５１とほぞ部４５７とを接続するパイプ４６１と、を備える。また、管部４５１の下部に設けられたほぞ穴４６３と、支柱４００ａの柱部４０１に設けられたほぞ穴４０７とに図示しないピンが挿通される。【００３５】  支柱４００ａの柱部４０１の外径を４２．７ｍｍ、柱部４０１の内径を枠組足場で使用される支柱と同じ３６．４ｍｍに選択することができる。この場合、支柱４００ａに着脱可能に連結される連結部４００ｂとして、枠組足場で使用される支柱の連結部材を用いることができる。【００３６】  高層建築での使用を想定した枠組足場に使用される部材の強度は高いため、枠組足場に使用される支柱の連結部材を連結部４００ｂに使用することで、支柱構造４００の強度を向上させることができる。【００３７】  連結部４００ｂに使用する連結部材として、枠組足場の支柱連結部材であるヤマトピンやカチロックピンを使用することが好ましい。
【産業上の利用可能性】
【００３８】  くさび緊結式足場に利用可能である。
【符号の説明】
【００３９】  １００  支柱
１０１  柱部
１０３  くさび嵌合部
１０５  土台部
１０７  ほぞ穴
３００  支柱
３０１  柱部
３０３ａ、３０３ｂ  くさび嵌合部
３０７  ほぞ穴
４００  支柱構造
４００ａ  支柱
４００ｂ  連結部
４０１  柱部
４０３  くさび嵌合部
４０５  土台部
４５１  管部
４５３  連結ピン
４５５  ほぞ穴
４５７  ほぞ部
４５９  ほぞ穴
４６１  パイプ
４６３  ほぞ穴
【図１】
0006476244.tif 000002
【図２】
0006476244.tif 000003
【図３】
0006476244.tif 000004
【図４】
0006476244.tif 000005